(57)【要約】【課題】  乗客コンベアの乗降客数を検知することで対象エリアの滞在人数を算出することができ、算出された滞在人数に基づいて対象エリアの環境調整を可能にする装置を提供する。【解決手段】  乗客コンベアが設定されているビルやイベント会場を含むエリアの環境を管理するエリア環境管理装置であって、前記乗客コンベアの乗り口付近及び降り口付近にそれぞれ設けられ、乗客コンベアの乗客及び降客を検知する乗降客検知センサと、前記乗降客検知センサから出力される乗客検知データ及び降客検知データに基づいて管理対象エリアにおける滞在人数を所定時間毎に算出する滞在者算出部と、算出された滞在人数に基づいて前記管理対象エリアの環境を管理する環境制御装置に対する制御指令を生成する環境管理部と、を備える。【選択図】  図１
2017021423.tif 000002
【特許請求の範囲】
【請求項１】
乗客コンベアが設定されているビルやイベント会場を含むエリアの環境を管理するエリア環境管理装置であって、
前記乗客コンベアの乗り口付近及び降り口付近にそれぞれ設けられ、乗客コンベアの乗客及び降客を検知する乗降客検知センサと、
前記乗降客検知センサから出力される乗客検知データ及び降客検知データに基づいて管理対象エリアにおける滞在人数を所定時間毎に算出する滞在者算出部と、
算出された滞在人数に基づいて前記管理対象エリアの環境を管理する環境制御装置に対する制御指令を生成する環境管理部と、
を備えることを特徴とするエリア環境管理装置。
【請求項２】
前記滞在人数算出手段は、対象エリアに設置されている全ての乗客コンベアにおける、前記降客検知手段で検知される降客検知データと前記乗客検知手段で検知される乗客検知データとの差分から当該対象エリアの滞在人数を算出することを特徴とする請求項１に記載のエリア環境管理装置。
【請求項３】
前記環境管理部は、前記対象エリアにおける、前記乗客コンベアの運転調整を行う乗客コンベア制御装置、空気調整を行う空調制御装置、照明調整を行う照明制御装置、滞在者に対して音声案内を行う音声案内装置、及び滞在者に対して映像配信を行う映像配信装置の少なくとも何れかを含む制御装置群に対して前記制御指令を出力することを特徴とする請求項１又は２に記載のエリア環境管理装置。
【請求項４】
前記滞在者算出部によって所定周期毎に算出された滞在人数と、当該所定周期における前記制御装置群に対する制御指令の実績値とを蓄積する履歴管理部を備え、
前記環境管理部は、履歴管理部に蓄積された過去の滞在人数に基づいて将来の滞在人数を予測するとともに、予測された滞在人数に基づいて過去の制御指令の実績値を抽出し対象エリアの制御指令を出力する
ことを特徴とする請求項1乃至３のいずれか1項に記載のエリア環境管理装置。
【請求項５】
乗客コンベアが設定されているビルやイベント会場を含むエリアの環境を管理するエリア環境管理方法であって、
前記乗客コンベアの乗り口付近及び降り口付近にそれぞれ設けられた乗降客検知センサが乗客コンベアの乗客及び降客を検知し、
滞在者算出部が、前記乗降客検知センサから出力される乗客検知データ及び降客検知データに基づいて管理対象エリアにおける滞在人数を所定時間毎に算出し、
環境管理部が、算出された滞在人数に基づいて前記管理対象エリアの環境を管理する環境制御装置に対する制御指令を生成して出力する、
ことを特徴とするエリア環境管理方法。
【発明の詳細な説明】
【技術分野】
【０００１】
本発明の実施形態は、エリア環境管理装置及びエリア環境管理方法に関する。
【背景技術】
【０００２】
商業ビルやオフィスビル等、多数の人が集まる建物を管理するビル管理システムとして、在室人数に応じて建屋内の空調設備や照明設備等を管理するシステムが知られている。
【０００３】
また、エレベータの運行情報や秤データ等に基づいて在室人数を推定し、空調制御に反映させる技術もある。
【先行技術文献】
【特許文献】
【０００４】
【特許文献１】特開２００８−２９８３５３号公報
【発明の概要】
【発明が解決しようとする課題】
【０００５】
ところで、従来、乗客コンベアの起動回数や起動時間、安全装置の動作記録等の運行データは、乗客コンベアの保全目的としてのみ収集され、収集された運行データは保守業者によってのみ活用されていた。
【０００６】
本発明の実施形態は、乗客コンベアの乗降客数を検知することで対象エリアの滞在人数を算出することができ、算出された滞在人数に基づいて対象エリアの環境調整を可能にするエリア環境管理装置及びエリア環境管理方法を提供することを目的とする。
【課題を解決するための手段】
【０００７】
上記目的を達成するための実施形態は、乗客コンベアが設定されているビルやイベント会場を含むエリアの環境を管理するエリア環境管理装置であって、前記乗客コンベアの乗り口付近及び降り口付近にそれぞれ設けられ、乗客コンベアの乗客及び降客を検知する乗降客検知センサと、前記乗降客検知センサから出力される乗客検知データ及び降客検知データに基づいて管理対象エリアにおける滞在人数を所定時間毎に算出する滞在者算出部と、算出された滞在人数に基づいて前記管理対象エリアの環境を管理する環境制御装置に対する制御指令を生成する環境管理部と、を備える。
【図面の簡単な説明】
【０００８】
【図１】実施形態に係るエリア環境管理装置の構成を示す説明図。
【図２】建屋内における乗客コンベアの配置構成を示す説明図。
【図３】実施形態の作用を説明するフローチャート。
【図４】履歴管理部のデータベースに保存される実績値データの一例を示す説明図。
【図５】制御装置群に対する制御指令の実績値の一例を示す説明図。
【図６】実績値の履歴に基づいた当日の時間帯毎の滞在人数の予測データを示す説明図。
【発明を実施するための形態】
【０００９】
＜実施形態の構成＞
図１は、実施形態に係るエリア環境管理装置の構成を示している。また、図２は、エリア環境管理装置が管理する対象エリアを模式的に示している。
【００１０】
図１に示すように、実施形態のエリア環境管理装置１は、検知センサ群３と、情報収集解析サーバ５とを備えている。また、情報解析サーバ５には、エスカレータ制御装置７、空調制御装置９、照明制御装置１１、音声案内装置、映像配信装置１５等の環境管理対象エリアの環境制御を実行する制御装置群が接続されている。そして、エリア環境管理装置１は、対象エリアに設置されている乗客コンベア（以下、適宜「エスカレータ」とも称する）の乗客数と降客数とに基づいて対象エリアの滞在人数を算出し、算出された滞在人数に応じて対象エリアの環境に対する種々の制御指令を生成して、いずれかの制御装置群に出力する。
【００１１】
本実施形態では、図２に示すように、３階建ての建物を想定している。フロア１Ｆとフロア２Ｆとの間には、上りエスカレータＸｕ号機と下りエスカレータＸｄ号機が設けられている。フロア２Ｆとフロア３Ｆとの間には、上りエスカレータＹｕ号機と下りエスカレータＹｄ号機が設けられている。
【００１２】
上りエスカレータＸｕ号機のフロア１Ｆの入口付近には、乗客検知センサＸu1が設けられており、フロア１Ｆから上りエスカレータＸｕ号機に乗り込む乗客が検出されている。
【００１３】
上りエスカレータＸｕ号機のフロア２Ｆにおける出口付近には、降客検知センサＸu2が設けられており、フロア２Ｆで上りエスカレータＸｕ号機から降りる降客が検出されている。
【００１４】
上りエスカレータＹｕ号機のフロア２Ｆの入口付近には、乗客検知センサＹu2が設けられており、フロア２Ｆから上りエスカレータＹｕ号機に乗り込む乗客が検出さている。
【００１５】
上りエスカレータＹｕ号機のフロア３Ｆの出口付近には、降客検知センサＹu3が設けられており、フロア３Ｆで上りエスカレータＹｕ号機から降りる降客が検出されている。
【００１６】
また、下りエスカレータＸｄ号機のフロア１Ｆの出口付近には、降客検知センサＸd1が設けられており、フロア１Ｆで下りエスカレータＸｄ号機から降りる降客が検出されている。
【００１７】
下りエスカレータＸｄ号機のフロア２Ｆの入口付近には、乗客検知センサＸd2が設けられており、フロア２Ｆから下りエスカレータＸｄ号機に乗り込む乗客が検出されている。
【００１８】
下りエスカレータＹｄ号機のフロア２Ｆの出口付近には、降客検知センサＹd2が設けられており、フロア２Ｆで下りエスカレータＹｄ号機から降りる降客が検出されている。
【００１９】
下りエスカレータＹｄ号機のフロア３Ｆの入口付近には、乗客検知センサＹｄ３が設けられており、フロア３Ｆで下りエスカレータＹｄ号機に乗り込む乗客が検出されている。
【００２０】
また、建屋の入口付近には、建屋内に入る人を検出する入室センサＳinが設けられ、また、建屋の出口付近には、建屋内から出る人を検出する退出センサＳoutが設けられている。
【００２１】
上述した入室センサＳin、退出センサＳout、各階の乗客検出センサＸu1，Ｙu2，Ｘd2，Ｙｄ３及び降客検出センサＸd1，Ｙd2，Ｘu2，Ｙu3によって検知センサ群3が構成されている。
【００２２】
情報収集解析サーバ５は、滞在者算出部５１と、環境管理部５３と、履歴管理部５５とを備えている。
【００２３】
滞在者算出部５１は、乗客検出センサ及び降客検出センサからのセンサ信号に基づいて環境管理対象となるエリアに滞在する人数を算出する。環境管理部５３は、滞在者算出部５１で算出された環境管理対象エリアに滞在する人数に基づいて各環境制御装置群７〜１５に対する制御指令を生成する。履歴管理部５５は、過去に実行された環境管理の実績データを蓄積するデータベースで構成されている。例えば、図４に示すように、各時間帯（図４では15分ごと）の各フロアの滞在人数とその実績値が保存される。その際の実績値データとしては、図５に示すように、エスカレータ運転実績値、空調制御実績値、照明制御実績値、音声案内実績値、及び映像配信実績値等がある。
【００２４】
＜実施形態の動作説明＞
次に本実施形態の作用を図３のフローチャートを参照しつつ説明する。
【００２５】
滞在者算出部５１は、各乗客検知センサからの検知データを入力している（ステップＳＴ１）。入力された検知データに基づき、対象エリアにおける所定時間ごとの滞在人数を算出する（ステップＳＴ３）。環境管理部５３は、算出された滞在人数に基づいて外部装置である環境制御装置群に対する制御指令を生成する（ステップＳＴ５）。生成された制御指令は該当する外部装置に出力される。出力された制御指令は、図４に示すように、対象エリアにおける時間帯ごとの実績値として履歴管理部５５に保存される（ステップＳＴ７）。制御された実績値は、図５に示すように、エスカレータ運転実績値、空調制御実績値、照明制御実績値、音声案内実績値、及び映像配信実績値等である。
【００２６】
ステップＳＴ３で実行される所定時間ごとの滞在人数は、例えば、以下のようにして算出される。
【００２７】
今、乗客検出センサＸu1，Ｙu2，Ｘd2，Ｙｄ３の各１０分当たり検知データをＤXu1，ＤＹu2，ＤXd2，ＤYd3及び降客検出センサＸd1，Ｙd2，Ｘu2，Ｙu3の各１０分当たりの検知データをＤXd1，ＤYd2，ＤXu2，ＤYu3とする。また、入室センサＳin、及び退出センサＳoutの各１０分当たりの検知データをＤSin，ＤSoutとする。
【００２８】
すなわち、ＤXu1は１階からの乗客人数、ＤＹu2は２階から３階への乗客人数、ＤXd2は２階から１階への乗客人数、ＤYd3は３階から２階への乗客人数をそれぞれ示す。また、ＤXd1は２階から下がり１階で降りた降客人数、ＤYd2は３階から下がり２階で降りた降客人数、ＤXu2は１階から上がり２階で降りた降客人数、ＤYu3は２階から上がり３階で降りた降客人数をそれぞれ示す。ＤSinは入場人数、ＤSoutは退場人数を示す。
【００２９】
例えば、１０分前の３階の滞在人数がＭ3fとして、１０分後である現在の３階の滞在人数は以下の（１）式で求められる。
【００３０】
Ｍ3f＋（ＤYu3−ＤYd3）・・・（１）
となる。
【００３１】
同様に、１０分前の２階の滞在人数をＭ2fとして、１０分後である現在の２階の滞在人数は以下の（２）式で求められる。
【００３２】
Ｍ2f＋（ＤＸu3−ＤYu2）＋（ＤYd2−ＤＸd2）・・・（２）
となる。
【００３３】
また、1階は、基準階となるので、建屋からの入退場者を考慮する必要があるので、以下の（３）式で求められる。
【００３４】
Ｍ1f＋（ＤＸu1−ＤＸu1）＋ＤSin−ＤSout・・・（３）
となる。
【００３５】
環境管理部５３は、算出された滞在人数に基づいて、エスカレータ制御装置７の運転制御を実行する。例えば、対象エリアであるフロアに複数号機が設置されている場合、滞在人数が多いときには全ての号機を運転するが、滞在人数が少ないときには何台かの号機を休止させるといった制御を実行する。
【００３６】
また、環境管理部５３は、算出された滞在人数に基づいて、空調制御装置９の空調制御を実行する。例えば、人数に応じて温度、湿度、風量等を調整する。
【００３７】
また、環境管理部５３は、算出された滞在人数に基づいて、照明制御装置１１の照明制御を実行する。例えば、滞在者の多いエリアの照度を上げたり、逆に滞在者の少ないエリアの照明を落としたり等の照明調整を実行する。
【００３８】
さらに、環境管理部５３は、算出された滞在人数に基づいて、音声案内装置の音声案内を実行する。例えば、エリアの滞在人数が多い場合には音声を上げる等の音量調整を行う。また、避難誘導案内等でも滞在人数多い場合と少ない場合とでは経路の変更等の経路案内を実行する。
【００３９】
環境管理部５３は、算出された滞在人数に基づいて、映像配信装置１５に対する映像配信を制御する。例えば、エリアに設置されたディスプレイに表示される映像コンテンツの配信周期や配信内容を滞在人数に応じて変更するように制御する。
【００４０】
上述のようにして、制御された実績値は、図５に示すように、エスカレータ運転実績値、空調制御実績値、照明制御実績値、音声案内実績値、及び映像配信実績値として、データベースに保存される。
【００４１】
このように、本実施形態によれば、エスカレータの乗降客に基づいて、対象エリアの滞在人数を算出し、算出された滞在人数に基づいて対象エリアの環境調整を実行するようにしている。このため、簡単な構成によって確実な環境制御を行うことが可能になる。
【００４２】
＜他の実施形態＞
上述した実施形態においては、所定時間帯毎の滞在人数に応じた環境制御を実行することが可能である。この場合、図４に示す時間帯毎の滞在人数データに基づき、時間帯毎の滞在人数の変化のトレンドを把握することによって、次の時間帯における滞在人数を予測することが可能となる。例えば、図６に示すように、前日の実績値を角印で示した場合、そのトレンドと、丸印で示す当日の実績値のトレンドとを比較すると、当日におけるこれからの時間帯におけるフロア滞在人数を予測することもできる。また、過去のイベント等における滞在人数の時間帯毎のトレンドを把握することで、滞在人数を予測で把握することができ、制御装置に対する制御指令を予測で把握することが可能になる。
【００４３】
以上の各実施形態によれば、エスカレータの乗り場、降り場にそれぞれ設けられた乗降客検知センサによって単位時間当たりのエスカレータ乗車人数と降車人数とを計測し、全てのエスカレータの運行データを一括管理することで、各フロアごとの滞在人数を把握することができる。また、エスカレータの乗降人数から各フロアの滞在人数を推測し、リアルタイムで環境を調整することができる。また、リアルタイムで収集されるデータと履歴データとの比較によって未来におけるエスカレータ制御、空調制御、照明制御等、滞在エリアの各種環境調整を実現することができる。
【００４４】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１…エリア環境管理装置、３…検知センサ群、５…情報収集解析サーバ、７…エスカレータ制御装置、９…空調制御装置、１１…照明制御装置、１５…映像配信装置、５１…滞在者算出部、５３…環境管理部、５５…履歴管理部、Ｓin…入館センサ、Ｓout…退館センサ、Ｘｄ，Ｘｕ，Ｙｄ，Ｙｕ…エスカレータ号機、Ｘu1，Ｙu2，Ｘd2，Ｙd3…乗客検知センサ、Ｘd1，Ｙd2，Ｘu2，Ｙu3…降客検知センサ。
【図１】
2017021423.tif 000003
【図２】
2017021423.tif 000004
【図３】
2017021423.tif 000005
【図４】
2017021423.tif 000006
【図５】
2017021423.tif 000007
【図６】
2017021423.tif 000008